(57)【要約】  無線周波数信号を毛髪に適用する電極１０２を有するヘアスタイリング装置１００において、無線周波数信号の周波数が５０ＭＨｚから９０ＭＨｚの間にある。好ましくは、無線周波数信号の電圧は３０Ｖを超えない。１０Ｖを超えない電圧であっても、１５０℃を超えない（従って、毛髪キューティクルの損傷が発生する臨界温度よりも低い）第１の温度まで毛髪を加熱する別の熱源１０３と、別の熱源１０３からの熱と組み合わせて、第１の温度を超えて、ヘアスタイリングのために十分に高い第２の温度まで毛髪皮質を選択的に加熱する無線周波数電極１０２とを適用する構成ではよく機能するだろう。
2021529077.tif 000002
【特許請求の範囲】
【請求項１】
ヘアスタイリング装置であって、
無線周波信号を毛髪に適用する電極を有し、
前記無線周波数信号の周波数が５０ＭＨｚ以上９０ＭＨｚ以下である、ヘアスタイリング装置。
【請求項２】
前記無線周波数信号の電圧が３０Ｖを超えない、請求項１に記載のヘアスタイリング装置。
【請求項３】
前記ヘアスタイリング装置が更に、１５０℃を超えない第１の温度まで毛髪を加熱する別の熱源を有し、
前記無線周波数の信号の電圧は、１０Ｖを超えない、請求項２に記載のヘアスタイリング装置。
【発明の詳細な説明】
【技術分野】
【０００１】
本発明は、誘電加熱を利用したヘアスタイリング装置に関する。
【背景技術】
【０００２】
ＵＳ２０１７／０３６０１７４号は、誘電加熱を用いて毛髪の形状を操作する装置を開示する。典型的には、この装置は、互いに向かって移動可能であり、かつ互いに離れて移動可能な第１及び第２のアームにそれぞれ設けられた対向する第１及び第２の電極を含む。駆動回路は、第１電極及び第２の電極に電気エネルギーを供給して、使用中の電極の近傍に交流電場を発生させ、これにより使用中の電極間に配置された毛髪の誘電加熱を引き起こす。センシング回路は、毛髪の加熱中に交流電場から毛髪へのエネルギーの結合の変化を感知する。制御回路は、感知された結合の変化に基づき、第１及び第２の電極に供給される電気エネルギーを変化させるように駆動回路を制御する。
【発明の概要】
【発明が解決しようとする課題】
【０００３】
周波数の範囲は好ましくは、約１ＭＨｚから約１００ＭＨｚである。より好ましくは、周波数の範囲は、約１０ＭＨｚから約１００ＭＨｚである。更に好ましくは、周波数の範囲は、約２０ＭＨｚから約４０ＭＨｚであり、これらの周波数は、消費者製品によく適している。なぜなら、それらは、（マイクロ波とは異なり）限られた波の伝搬を持ち、及び従って、健康へのリスク又は望ましくないＥＭＣ（電磁両立性）効果をもたらさないからである。約５０ＶのＡＣ電圧が使用される。
【０００４】
特に、本発明の目的は、誘電加熱を用いる改良されたヘアスタイリング装置を提供することである。
【課題を解決するための手段】
【０００５】
本発明は、独立請求項により規定される。有利な実施形態は、従属請求項に規定される。
【０００６】
本発明の実施形態は、ＵＳ２０１７／０３６０１７４号では好まれる、４０ＭＨｚ以下の周波数範囲では、誘電正接及び発熱が含水率に大きく依存するという認識に基づかれる。従って、従来技術では好まれる、４０ＭＨｚ以下の周波数では、毛髪の水分量に基づき、パワーレベルが適合される必要がある。更に、スタイリング処理中に水分量が大きく変化するので、加熱制御は、好ましくない過加熱効果及びトリートメント不足による効果不良が発生することを防ぐよう、最適な加熱効果を得るために水分量をリアルタイムで正確に監視する必要がある。その意味では、水分量への依存度が低く、トリートメントパラメータのクリティカルなセンシング及び制御を必要としない方法が望ましい。本発明の一側面によれば、これは、５０ＭＨｚから９０ＭＨｚまでの範囲の周波数を使用することにより達成され得、これは、トリートメントを水分量にあまり依存しないようにし、同時に、乾燥した毛のための約１ＭＨｚとほぼ同じ有効性を提供するであろう。好ましくは、無線周波数信号の電圧は３０Ｖを超えない。１０Ｖを超えない電圧であっても、１５０℃を超えない（従って、毛髪キューティクルの損傷が発生する臨界温度よりも低い）第１の温度まで毛髪を加熱するための別の熱源と、第１の温度を超え、ヘアスタイリングのために十分に高い第２の温度まで、別の熱源からの熱と組み合わせて毛髪皮質を選択的に加熱するための無線周波数電極とを適用する構成においてよく機能する。
【図面の簡単な説明】
【０００７】
【図１】誘電正接対周波数のグラフを示す図である。
【図２】本発明によるヘアスタイリング装置の一実施形態を示す図である。
【発明を実施するための形態】
【０００８】
本発明のこれらの及び他の態様が、以下に説明される実施形態より明らとなり、これらの実施形態を参照して説明される。
【０００９】
図１は、湿潤毛Ｗ及び乾燥毛Ｄに関する、誘電正接対周波数のグラフをそれぞれ示す。グラフは、４０ＭＨｚ以下の周波数では、濡れた毛髪Ｗと乾いた毛髪Ｗとの間の誘電正接の差が比較的大きいことを示し、一方、５０ＭＨｚ以上の高い周波数では、その差ははるかに小さく、その結果、斯かる高い周波数では、毛髪をスタイリングしながら毛髪の水分量を正確かつ常に測定する必要がないことを示す。グラフは、９０ＭＨｚ以上の周波数でも同様の利点があることを示すが、９０ＭＨｚを超える周波数ではＲＦ加熱の有効性が低くなる。
【００１０】
図２は、本発明によるヘアスタイリング装置１００の実施形態を示し、出願ＷＯ２０１７／０８０９５７号（整理番号２０１５ＰＦ０１５８１）と同様であるが、図２の実施形態では、光の代わりに高周波（ＲＦ）加熱が使用されるという違いがある。ヘアスタイリング装置１００は、毛髪のストランドを挟むようにヒンジされた２つの爪１０１を有する。各爪１０１は、ＲＦ電極又は大面積電極１０２のアレイを有し、これは、スタイリングに必要な約１７０℃の温度へと毛髪皮質を選択的に加熱する。この温度は、それぞれ２５０℃及び１２００℃で予想される溶融及び気化のような他の望ましくない加熱効果を防止するために制御されることができる。
【００１１】
各爪１０１は、オプションで別の熱源１０３を有し、これは、毛髪の誘電特性を高めるために、１５０°以下、好ましくは１４０°以下、例えば１２０°以下の第１の温度へと毛髪を直接又は間接的に予備加熱してもよい。他の熱源１０３及びＲＦ電極１０２からの複合加熱効果が、スタイリングに必要な約１７０℃の温度をもたらす。
【００１２】
追加の毛髪導電性感知コントロール１０４は、毛髪の誘電特性を測定し、パワーを調整することによりトリートメントを最適化するために使用されることができる。追加の熱制御システム１０５は、温度設定及びトリートメント時間を調節するために使用されることができる。縮毛矯正／毛髪スタイリングをするには、毛髪のストランドがプレート間に挟まれ、毛髪がスタイリングされるまで移動される。
【００１３】
接触抵抗性ＲＦ加熱は、後者の１つに必要な高電圧及び電力又は長いカット時間のため、消費者提案に関する非接触容量性ＲＦ加熱よりも好まれる。図２の実施形態では、１０Ｖ以下の電圧が、５０ＭＨｚから９０ＭＨｚの間の範囲の高周波数での使用に適している。
【００１４】
上記の実施形態は、本発明を限定するのではなく例示するものであり、当業者は、添付の特許請求の範囲から逸脱することなく多くの代替実施形態を設計できることに留意されたい。例えば、図２に示される実施形態は縮毛矯正装置であるが、本発明は代替的に、毛髪をカールさせるために使用されることができる。請求項において、括弧の間に置かれた任意の参照符号は、請求項を限定するものとして解釈されるべきではない。「有する」という語は、請求項に記載される以外の要素又はステップの存在を排除するものではない。要素に先行する単語「ａ」又は「ａｎ」は、斯かる要素の複数の存在を排除するものではない。本発明は、いくつかの別個の要素を含むハードウェアにより、及び／又は適切にプログラムされたプロセッサにより実現されることができる。いくつかの手段を列挙する装置クレームにおいて、これらの手段のいくつかは、ハードウェアの１つの同じアイテムにより実現されることができる。相互に異なる従属請求項に記載される手段は、組み合わせて有利に使用されることができる。
【図１】
2021529077.tif 000003
【図２】
2021529077.tif 000004
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
ヘアスタイリング装置であって、
無線周波信号を毛髪に適用する電極を有し、
前記無線周波数信号の周波数が５０ＭＨｚ以上９０ＭＨｚ以下である、ヘアスタイリング装置。
【請求項２】
前記無線周波数信号の電圧が３０Ｖを超えない、請求項１に記載のヘアスタイリング装置。
【請求項３】
前記ヘアスタイリング装置が更に、１５０℃を超えない第１の温度まで毛髪を加熱する、前記電極とは異なる熱源を有し、
前記無線周波数の信号の電圧は、１０Ｖを超えない、請求項２に記載のヘアスタイリング装置。
【国際調査報告】
2021529077.tif 000005
2021529077.tif 000006